(57)【特許請求の範囲】
【請求項１】
多重化される送信データを直交逆ウェーブレット変換してマルチキャリア通信方式で多重送信する送信機において、
送信シンボルを構成する送信データが各々割り当てられるウェーブレットパターンを、情報フレームの構成上隣接する前記送信シンボル間で異ならしめるウェーブレットパターン指定手段と、
前記ウェーブレットパターン指定手段が与えるウェーブレットパターンを用いて、送信シンボルを直交逆ウェーブレット変換してマルチキャリア信号を得る逆ウェーブレット変換手段と、
を具備する送信機。
【請求項２】
前記ウェーブレットパターン指定手段は、所定数のウェーブレットパターンを単位として巡回的に指定する請求項１記載の送信機。
【請求項３】
前記ウェーブレットパターン指定手段は、前記ウェーブレットパターンでの隣接シンボル間で同一周波数帯に同じスケーリングパラメータを持つデータシンボルが並ばないように指定する請求項１または請求項２記載の送信機。
【請求項４】
前記ウェーブレット変換手段は、前記ウェーブレットパターン指定手段が指定するウェーブレットパターンに基づき、フィルタバンクの構成を適応的に変更する請求項１から請求項３のいずれかに記載の送信機。
【請求項５】
送信機で直交逆ウェーブレット変換により多重化され、マルチキャリア通信方式で送信される送信データを受信する受信機において、
情報フレームを構成する複数の送信シンボルを構成する送信データに各々割り当てられ、かつ隣接する送信シンボル間で異ならしめるウェーブレットパターンを順次指定するウェーブレットパターン指定手段と、
受信した前記送信シンボルを、前記ウェーブレットパターン指定手段が与えるウェーブレットパターンを用いて、直交ウェーブレット変換し受信信号を得るウェーブレット変換手段と、
を具備する受信機。
【請求項６】
多重化される送信データを直交逆ウェーブレット変換してマルチキャリア通信方式で多重送信する送信機の制御方法において、
送信シンボルを形成する複数の信号点が割り当てられるウェーブレットパターンを、隣接する前記送信シンボル間で異ならしめるウェーブレットパターン指定ステップと、
前記ウェーブレットパターン指定ステップが与えるウェーブレットパターンを用いて、送信シンボルを直交逆ウェーブレット変換してマルチキャリア信号を得るウェーブレット変換ステップと、
を具備する送信機の制御方法。
【請求項７】
送信機で直交逆ウェーブレット変換により多重化され、マルチキャリア通信方式で送信される送信データを受信する受信機の制御方法において、
情報フレームを構成する複数の送信シンボルを構成する送信データに各々割り当てられ、かつ隣接する送信シンボル間で異ならしめるウェーブレットパターンを順次指定するウェーブレットパターン指定ステップと、
受信した前記送信シンボルを、前記ウェーブレットパターン指定ステップが与えるウェーブレットパターンを用いて、直交ウェーブレット変換し受信信号を得るウェーブレット変換ステップと、
を具備する受信機の制御方法。
【発明の詳細な説明】
【技術分野】
【０００１】
本発明は、直交ウェーブレット変換を利用したマルチキャリア通信方式の送信機、受信機およびその制御方法に関する。
【背景技術】
【０００２】
従来からマルチキャリア通信方式は、マルチパス伝搬路に起因する周波数選択性フェージングの影響を軽減できる高速伝送技術として注目されている。マルチキャリア通信方式の代表例として、ＯＦＤＭ(Orthogonal Frequency Division Multiplexing：直交周波数多元接続)方式がある。これは、フーリエ変換の直交性を利用し、送信シンボルを周波数軸上に直交配置し送信信号を形成するものである。
【０００３】
他のマルチキャリア通信方式で近時注目され期待されているものとして、直交変換にウェーブレット変換を用いたＷＰＭ(Wavelet Packet Modulation：ウェーブレットパケット変換)がある（特許文献１参照）。これは、直交ウェーブレット変換を用いた離散ウェーブレット変換が１対１の可逆変換であることを利用して、サブバンド分解された成分に一つの信号点を割り当てて合成波をつくり、これをベースバンドの変調信号としたものである。この方式は、ウェーブレットを搬送波としたマルチキャリア変調方式であり、ウェーブレット変換は、周波数応答特性に優れ、ＯＦＤＭと比べサイドローブを小さく抑えることができる。
【特許文献１】特開平１１−２７５１６５号公報
【発明の開示】
【発明が解決しようとする課題】
【０００４】
ＯＦＤＭでは、変調波の周期性を利用し、ＧＩ（Guard Interval）を設けることにより遅延波の影響を軽減することが実用化されている。しかしながら、ＷＰＭシンボルは周期関数にはならないため、ＧＩを付加することができない。そのため、マルチパス環境下におけるシンボル間干渉の影響が大きくなり、誤り率特性がＧＩ付ＯＦＤＭと比べて劣化する。
【０００５】
また、ＷＰＭではサブバンドレベル毎の情報シンボル数が異なる特徴がある。図１の例では全８シンボル中サブバンドレベル３に配置されるシンボル数は２である一方、４シンボルがサブバンドレベル１に集中している。従って、この場合、サブバンドレベル１の帯域が周波数選択性フェージングの影響を受けると半数のシンボルが影響を受けることになる。つまり、フェージング環境下におけるＷＰＭのビット誤りはバースト的なものとなるため、誤り訂正符号やインタリーブを付加しても誤り率特性が劣化してしまう。
【０００６】
本発明はかかる点に鑑みてなされたものであり、情報フレームを構成するシンボル間干渉の影響を軽減し、バースト的な誤りの発生を防いで、通信の誤り率特性を向上し、かつインタリーブ効果を効果的に利用可能とし通信の高スループットを実現することマルチキャリア通信方式の送信機、受信機およびその制御方法を提供することを目的とする。
【課題を解決するための手段】
【０００７】
かかる課題を解決するため、本発明の送信機は、多重化される送信データを直交逆ウェーブレット変換してマルチキャリア通信方式で多重送信する送信機において、送信シンボルを構成する送信データが各々割り当てられるウェーブレットパターンを、情報フレームの構成上隣接する前記送信シンボル間で異ならしめるウェーブレットパターン指定手段と、前記ウェーブレットパターン指定手段が与えるウェーブレットパターンを用いて、送信シンボルを直交逆ウェーブレット変換してマルチキャリア信号を得る逆ウェーブレット変換手段と、を具備する構成を採る。
【０００８】
また本発明に係る受信機は、送信機で直交逆ウェーブレット変換により多重化され、マルチキャリア通信方式で送信される送信データを受信する受信機において、情報フレームを構成する複数の送信シンボルを構成する送信データに各々割り当てられ、かつ隣接する送信シンボル間で異ならしめるウェーブレットパターンを順次指定するウェーブレットパターン指定手段と、受信した前記送信シンボルを、前記ウェーブレットパターン指定手段が与えるウェーブレットパターンを用いて、直交ウェーブレット変換し受信信号を得るウェーブレット変換手段と、を具備する構成を採る。
【０００９】
また本発明に係る送信機の制御方法は、多重化される送信データを直交逆ウェーブレット変換してマルチキャリア通信方式で多重送信する送信機の制御方法において、送信シンボルを形成する複数の信号点が割り当てられるウェーブレットパターンを、隣接する前記送信シンボル間で異ならしめるウェーブレットパターン指定ステップと、前記ウェーブレットパターン指定ステップが与えるウェーブレットパターンを用いて、送信シンボルを直交逆ウェーブレット変換してマルチキャリア信号を得るウェーブレット変換ステップと、を具備する構成を採る。
【００１０】
また本発明に係る受信機の制御方法は、送信機で直交逆ウェーブレット変換により多重化され、マルチキャリア通信方式で送信される送信データを受信する受信機の制御方法において、情報フレームを構成する複数の送信シンボルを構成する送信データに各々割り当てられ、かつ隣接する送信シンボル間で異ならしめるウェーブレットパターンを順次指定するウェーブレットパターン指定ステップと、受信した前記送信シンボルを、前記ウェーブレットパターン指定ステップが与えるウェーブレットパターンを用いて、直交ウェーブレット変換し受信信号を得るウェーブレット変換ステップと、を具備する構成を採る。
【発明の効果】
【００１１】
本発明によれば、情報フレームの構成上隣接する情報シンボル間の直交性が確立されるので、情報シンボル間干渉の影響を軽減すると共に、インタリーブ効果を利用してバースト的な誤りの発生を防いで、誤り率特性を向上することができる。
【発明を実施するための最良の形態】
【００１２】
以下、本発明の実施の形態について図面を参照して詳細に説明する。
【００１３】
（実施の形態１）
図１は、本発明の各実施の形態に係る送信機および受信機で使用するウェーブレットパターンを示す模式図である。図１に示すように、本実施例ではウェーブレットパターンは周波数軸（ｆ）と時間軸（ｔ）との２軸方向に展開されて８つの区画（サブバンド分解された各成分）を有するものとし、本実施の形態では、全てを使用する必要は無いが、最大８つの成分（すなわち、送信データ）を割り当てすることができる。図１に従い、直交逆ウェーブレット変換を詳しく説明すると、直交逆ウェーブレット変換では、サブバンドのレベルによって時間解像度が変わり、低周波ほど時間解像度が低くなるので、割り当てられる信号点の数が上位レベルに従い増加する。
【００１４】
具体的には、サブバンドレベル１でＮｗ／２個（Ｎｗ：送信データ数）、以降サブバンドレベルが１つ上がると信号点の数が半減され、以下同様に順に信号点は半減され、レベルＮ-１で、２個の信号点が割り当てられる。但し、サブバンドレベルＮは２個設けられ各々信号点が割り当てられる。以上がウェーブレット変換における典型的な信号点割り当てである。従って図１は、信号点が８つの場合の典型的な時間周波数マッピング例を示している。尚、以下、サブバンドレベルは、必要に応じＳＬと略記する。
【００１５】
今、この典型的な時間周波数マッピング行った場合の伝送特性を説明すると、全てのサブバンドに同じ信号点配置を適用すると、下位レベルのサブバンドほど１情報シンボルあたりのエネルギーが減ることになる。図１の例では１情報シンボルあたりのエネルギーは、{ｄ１、ｄ２、ｄ３、ｄ４} < {ｄ５、ｄ６} < {ｄ７、ｄ８}の関係にある。一般に伝送特性は、１情報シンボルあたりのエネルギーが高いほど良い特性を得られるため、下位のレベルほど良い信号品質が得られる。すなわち、直交ウェーブレット変換を用いた通信は、階層的なＢＥＲ特性の得られるマルチキャリア通信方式を実現でき、伝送効率、およびそれとトレードオフの関係にあるＢＥＲ特性を柔軟に設定した変調が可能となる。
【００１６】
図２は、本発明の各実施の形態に係る情報フレームのフォーマット図である。図２に示すように、１情報フレームはＮ個のＷＰＭシンボルにより形成され、それぞれのフレームの先頭（シンボルナンバーｎ＝１）にパイロットシンボルが配置されている。また、パイロットシンボルを含む各ＷＰＭシンボルはそれぞれ異なるウェーブレットパターンによりＷＰＭ変調されている。
【００１７】
図３は、本発明の各実施の形態に係る送信機のブロック図である。送信機３００は、誤り訂正符号化部３０１と、一次変調部３０２と、Ｓ／Ｐ変換部３０３と、逆ウェーブレット変換部３０４と、Ｄ／Ａ変換部３０５と、ＲＦ部３０６と、アンテナ３０７と、ウェーブレットパターン指定部３０８とから主に構成されている。尚、Ｓ／Ｐ変換部３０３はウェーブレットパターン指定部３０８から指定されたウェーブレットパターンに基づき、各サブバンドレベルに配置する送信データ数を適宜変更する機能を具備する。また、逆ウェーブレット変換部３０４はウェーブレットパターン指定部３０８から指定されたウェーブレットパターンに基づき、フィルタバンクの構成を適応的に変更する機能を具備する。
【００１８】
図３において、送信データは、誤り訂正符号化部３０１および一次変調部３０２で、誤り訂正および一次変調等の処理を施され、送信シンボル単位でＳ／Ｐ変換部３０３に出力される。ウェーブレットパターン指定部３０８は、図２に示すシンボルナンバーｎ（ｎ＝１、２、…、Ｎ）に応じ順次更新されるマッピングパターンをＳ／Ｐ変換部３０３および逆ウェーブレット変換部３０４に出力する。これによって、Ｓ／Ｐ変換部３０３は、このマッピングパターンに応じて送信シンボルをマッピング（ＳＬ１〜ＳＬＭ）する。
【００１９】
具体的にはＳ／Ｐ変換部３０３により時間-周波数の２次元テーブルにマッピングされる。その後、逆ウェーブレット変換部３０４にて各送信シンボルをＷＰＭ変調される。例として、図１に示されるウェーブレットパターンのＷＰＭ信号を生成する逆ウェーブレット変換の様子を図４に示す。図４に示される通り、逆ウェーブレット変換は複数の帯域合成フィルタ５０１、５０２、５０３によるフィルタバンクにより構成される。このフィルタバンクを２次元テーブルにマッピングされた送信シンボルが通過することにより、ＷＰＭ変調が行われる。
【００２０】
また、この時の帯域合成フィルタの構成図を図５に示す。図５に示される通り、帯域合成フィルタは２入力１出力のフィルタである。まず、帯域合成フィルタに入力された送信シンボルに対し、サンプリング回路５０４および５０６により、それぞれ２倍アップサンプリング処理が行われる。次に、高域フィルタ５０５および低域フィルタ５０７を通過した後、信号合成部５０８にて同相加算され、出力される。ここで、高域フィルタ５０５および低域フィルタ５０７は一般にＦＩＲフィルタにて構成される。例えば、Daubechies Ｎ＝２ウェーブレットの場合、ＦＩＲフィルタの関数F0(z)およびF1(z)は次の式（１）および式（２）となる。
【数１】
0004555185.tif 000002
【数２】
0004555185.tif 000003
【００２１】
尚、図４のフィルタバンクの構成を変更することにより、異なるウェーブレットパターンのＷＰＭ信号を生成することが可能である。この後、ＷＰＭ信号はＤ／Ａ変換部３０５に出力される。このＤ／Ａ変換部３０５でＷＰＭシンボルはアナログ変換処理される。このようにアナログ変換処理された信号は、ＲＦ部３０６でアップコンバート、フィルタリング等の高周波処理がされ、アンテナ３０７を経由して、外部の受信機に対し送信される。
【００２２】
図６は、本発明の実施の形態１に係る受信機のブロック図である。受信機４００は、アンテナ４０１と、ＲＦ部４０２と、Ａ／Ｄ変換部４０３と、ウェーブレット変換部４０４と、回線推定部４０５と、回線補償部４０６と、Ｐ／Ｓ変換部４０７と、一次復調部４０８と、誤り訂正復号部４０９と、ウェーブレットパターン指定部４１０とから主に構成されている。尚、ウェーブレット変換部４０４はウェーブレットパターン指定部４１０から指定されたウェーブレットパターンに基づき、フィルタバンクの構成を適応的に変更する機能を具備する。また、Ｐ／Ｓ変換部４０７はウェーブレットパターン指定部４１０から指定されたウェーブレットパターンに基づき、直列変換する並列データシンボル数を適応的に変更する機能を具備する
【００２３】
図６において、図３の送信機３００が送信した送信信号は、アンテナ４０１が搬送波として受信する。受信された搬送波はＲＦ部４０２によりベースバンド信号にダウンコンバートされた後、Ａ／Ｄ変換部４０３によりデジタル化され、ウェーブレット変換部４０４にてサブバンドレベル毎に分割される。ここで、ウェーブレットパターン指定部４１０は図３の送信機３００と同一のマッピングパターンを有しており、ＷＰＭのシンボルナンバー（Ｎ＝１、２、・・・Ｎ）に応じたマッピングパターンをウェーブレット変換部４０４に出力する。
【００２４】
ウェーブレット変換部４０４は、このマッピングパターンに基づきウェーブレット変換を行うことで情報シンボルを抽出する。例として、図１に示されるウェーブレットパターンのＷＰＭ信号を復調するウェーブレット変換の様子を図７に示す。図７に示される通り、ウェーブレット変換は複数の帯域分割フィルタ６０１、６０２、６０３によるフィルタバンクにより構成される。このフィルタバンクをＡ／Ｄ変換された受信信号が通過することにより、ＷＰＭ復調が行われる。また、この時の帯域分割フィルタの構成図を図８に示す。図８に示される通り、帯域分割フィルタは１入力２出力のフィルタである。まず、帯域分割フィルタに入力された受信信号は、高域フィルタ６０４および低域フィルタ６０６に入力される。ここで、高域フィルタ６０４および低域フィルタ６０６は一般にＦＩＲフィルタにて構成される。例えば、Daubechies Ｎ＝２ウェーブレットの場合、ＦＩＲフィルタの関数H0(z)およびH1(z)は次の式（３）および式（４）となる。
【数３】
0004555185.tif 000004
【数４】
0004555185.tif 000005
【００２５】
尚、図７のフィルタバンクの構成を変更することにより、異なるウェーブレットパターンのＷＰＭ信号を復調することが可能である。最後に、高域フィルタ６０４および低域フィルタ６０６の出力は、それぞれサンプリング回路６０５および６０７により、それぞれ２倍ダウンサンプリング処理が行われ、出力される。
【００２６】
また、パイロットシンボルはウェーブレット変換部４０４のウェーブレット変換後、回線推定部４０５に渡され、回線推定部４０５で推定された回線推定結果は、回線補償部４０６での重み係数決定に使用される。回線補償部４０６にて決定された重み係数は、回線補償処理のためデータシンボルと積算処理される。その後、Ｐ／Ｓ変換部４０７によるＰ／Ｓ変換、一次復調部４０８による一次復調および誤り訂正復号部４０９による誤り訂正復号処理を経て受信データが復号される。誤り無く復号された受信データは、図示しない、上位レイヤに転送される。
【００２７】
図９は、本発明の実施の形態１に係る送信機３００および受信機４００で使用するウェーブレットパターン（マッピングパターン）の変化を示す模式図である。このウェーブレットパターンは、送信機３００および受信機４００のウェーブレットパターン指定部３０８および４１０が、予め記憶している。
【００２８】
図９において、（ａ）は、図１で詳しく説明したウェーブレットパターンと同じで、１ＷＰＭシンボル中のデータシンボル数Ｎｗ＝８、サブバンドレベル数３である。この図９（ａ）のパターンは、シンボルナンバーでは、１、４、７、１０、・・・、３ｌ＋１、・・・と３つごとに巡回的に用いられる。同様に、図９（ｂ）で示すパターンは、パターン（ａ）に続いて３つごと巡回的に用いられる。図９（ｃ）で示すパターンも、パターン（ｂ）に続いて、３つパターンごとに巡回的に用いられる。すなわち、本実施の形態では、シンボルナンバーＮ＝１（図２参照）であるパイロットシンボルはパターン(a)を使用し、Ｎ＝２ではパターン(b)を、Ｎ＝３ではパターン(c)を、それぞれ使用する。Ｎ＝４は再びパターン(a)を使用し、以後(b)→(c)→(a)→(b)→…のように、巡回的にこれら３パターンを使用する。
【００２９】
また本実施の形態では、１ＷＰＭシンボルごとに、サブバンドレベルが周波数軸（ｆ）方向にシフトされ、巡回させている。この結果、図９（ａ）、（ｂ）、（ｃ）の３パターンは、少なくとも隣接シンボル間でスケーリングパラメータが異なっている。従って、本実施の形態では、隣接シンボル間で、同一周波数帯に同じスケーリングパラメータを持つデータシンボルが並ばない。
【００３０】
このように隣接シンボル間のスケーリングパラメータを規定することにより、本実施の形態によれば、後述する直交ウェーブレット変換の性質から分かるように、各々のマッピングパターンは直交しており、マルチパス環境下においても、マルチパスにより遅延波が希望波に重畳しても隣接シンボルの影響は受けないため、シンボル間干渉の影響を軽減できる。同様に、希望波に自シンボル成分が重畳した場合についても、トランスレートパラメータが異なる重なり方をした場合は干渉を受けず、結果的にマルチパスの影響を大幅に低減できる。
【００３１】
また、図９からも分かる通り、ある特定の周波数帯に配置されるデータシンボル数はＷＰＭシンボル毎に時々刻々と変化することになる。つまり、周波数選択性フェージングが発生しても、バースト的な誤りが発生する確率が低くなるため、インタリーブ効果を利用することによる誤り訂正能力の改善が期待される。
【００３２】
（実施の形態２）
次に、本発明の実施の形態２に係る送信機および受信機について説明する。送信機、受信機の構成は、先述した図３、４と同様である。図１０は、実施の形態２に係る送信機３００および受信機４００で使用するウェーブレットパターン（マッピングパターン）の変化を示す模式図である。このウェーブレットパターンは、送信機３００および受信機４００のウェーブレットパターン指定部３０８および４１０が、予め記憶している。実施の形態２の特徴は、このウェーブレットパターンの構造にある。ただし、図１０（ａ）、（ｂ）、（ｃ）の３つのパターンを巡回的に使用するのは実施の形態１の場合と同様であり、詳しい説明は省略する。
【００３３】
図１０に示すウェーブレットパターンにおいては、図１０（ａ）はサブバンドレベル１（ＳＬ１）のみで構成し、図１０（ｂ）はサブバンドレベル２（ＳＬ２）のみで構成し、図１０（ｃ）はサブバンドレベル３（ＳＬ３）のみで構成する。このように、全帯域にわたって同一のウェーブレットパターンで構成すると、各送信データのエネルギーが均一化され、シンボル全体の誤り率特性の劣化もなく、均質の誤り特性を確保できる。
【００３４】
この実施の形態２では、各隣接シンボル同士はそれぞれ使用されているウェーブレット関数のサブバンドレベルが異なるため、マルチパスにより遅延波が希望波に重畳しても隣接シンボルの影響は受けないため、シンボル間干渉の影響を軽減できる。同様に、希望波に自シンボル成分が重畳した場合についても、トランスレートパラメータが異なる重なり方をした場合は干渉を受けず、結果的にマルチパスの影響を大幅に低減できる。また、ある特定の周波数帯に配置されるデータシンボル数はＷＰＭシンボル毎に時々刻々と変化することになる。つまり、周波数選択性フェージングが発生しても、バースト的な誤りが発生する確率が低く、インタリーブによる誤り訂正能力の改善が期待される。
【００３５】
（実施の形態３）
次に、本発明の実施の形態３に係る送信機および受信機について説明する。送信機、受信機の基本的構成は、先述したように、図３、４と同様である。図１１は、本発明の実施の形態３に係る送信機３００および受信機４００で使用するウェーブレットパターン（マッピングパターン）の変化を示す模式図である。このウェーブレットパターンは、送信機３００および受信機４００のウェーブレットパターン指定部３０８および４１０が、予め記憶している。実施の形態３の特徴は、このウェーブレットパターンの構造にある。ただし、図１１の（ａ）、（ｂ）、（ｃ）の３つのパターンを巡回的に使用するのは実施の形態１の場合と同様であり、詳しい説明は省略する。
【００３６】
図１１に示すウェーブレットパターンは、実施の形態１および２のウェーブレットパターンをハイブリッドしたものに相当し、図１１（ａ）はサブバンドレベル１（ＳＬ１）とＳＬ２との組み合わせで構成し、図１１（ｂ）はＳＬ３とＳＬ１の組み合わせで構成し、図１１（ｃ）はＳＬ２とＳＬ３の組み合わせで構成する。
【００３７】
このようにウェーブレットパターンを構成することにより、本実施の形態においても、実施の形態１、２同様、隣接パターン同士のウェーブレットパターンがそれぞれ異なるため、直交ウェーブレット変換の性質により、各マッピングパターンの直交性が保証されるため、マルチパス環境下においても隣接シンボル間の干渉は影響を受けないため、シンボル間干渉の影響を軽減できる。同様にバースト誤りの発生を抑えることができるため、インタリーブ効果利用により誤り訂正能力の改善が期待される。
【００３８】
以上のように本発明に係る各実施の形態は、直交ウェーブレット変換のもつ直交性の性質を利用するものである。この性質については特許文献１に開示されているが、以下簡単に説明しておく。なお、ウェーブレット変換の性質自体の数学的な開示を含む詳細は、例えば「ウェーブレットとサブバンド符号化（ヴェテルリ／コヴァチェヴィク著 池原雅章訳  発行  （株）科学技術出版）」を参照することができる。
【００３９】
ここで、本発明の各実施の形態に関連する３つの直交ウェーブレット変換の性質、詳しくは直交ウェーブレット変換におけるウェーブレット関数Ψ(t)およびスケーリング関数φ(t)の性質について式（５）を用いて説明する。
【数５】
0004555185.tif 000006
【００４０】
ここで、ｊおよびＪはスケールパラメータ（すなわち、サブバンドレベル）を、ｋおよびＫはトランスレートパラメータを、それぞれ表している。上式はすなわち、ウェーブレット関数Ψjk(t)が全てのサブバンドレベルで直交することを意味している。
【００４１】
すなわち、各隣接シンボルはそれぞれ使用されているウェーブレット関数の同一周波数帯上に配置されるシンボルのスケールパラメータが異なるため、マルチパスにより遅延波が希望波に重畳しても隣接シンボルの影響は受けないため、シンボル間干渉の影響を軽減できる。同様に、希望波に重畳した自シンボル成分についても、トランスレートが異なるため干渉を受けず、結果的にマルチパスの影響を大幅に低減できる。
【００４２】
また、図９ないし図１１からも分かる通り、ある特定の周波数帯に配置されるデータシンボル数はＷＰＭシンボル毎に刻々と変化することになる。つまり、通信回線に周波数選択性フェージングが発生しても、インタリーブ効果により従来におけるようなバースト的な誤りが発生する確率が低くなるため、誤り訂正能力の改善が期待される。
【産業上の利用可能性】
【００４３】
本発明は、ウェーブレット変換の直交性を利用してマルチキャリア通信を行う際、送信するシンボルごと等所定単位ごとにウェーブレットパターンを更新させるので、周波数選択性フェージングが発生しても、インタリーブ効果により従来におけるようなバースト的な誤りが発生する確率が低くなるため、誤り訂正能力の改善が期待でき、高スループットの通信を実現するのに有用である。
【図面の簡単な説明】
【００４４】
【図１】本発明の各実施の形態に係る送信機および受信機で使用するウェーブレットパターンを示す模式図
【図２】本発明の各実施の形態に係る情報フレームのフォーマット図
【図３】本発明の各実施の形態に係る送信機のブロック図
【図４】図１のＷＰＭシンボル変調に関る逆ウェーブレット変換のフィルタバンクのブロック図
【図５】帯域合成フィルタのブロック図
【図６】本発明の各実施の形態に係る受信機のブロック図
【図７】図１のＷＰＭシンボル復調に関るウェーブレット変換のフィルタバンクのブロック図
【図８】帯域分割フィルタのブロック図
【図９】本発明の実施の形態１に係る送信機および受信機で使用するウェーブレットパターンの変化を示す模式図
【図１０】本発明の実施の形態２に係る送信機および受信機で使用するウェーブレットパターンの変化を示す模式図
【図１１】本発明の実施の形態３に係る送信機および受信機で使用するウェーブレットパターンの変化を示す模式図
【符号の説明】
【００４５】
３００  送信機
３０３  Ｓ／Ｐ変換部
３０４  逆ウェーブレット変換部
４０４  ウェーブレット変換部
４０７  Ｐ／Ｓ変換部
３０８、４１０  ウェーブレットパターン指定部
４００  受信機
【図１】
0004555185.tif 000007
【図２】
0004555185.tif 000008
【図３】
0004555185.tif 000009
【図４】
0004555185.tif 000010
【図５】
0004555185.tif 000011
【図６】
0004555185.tif 000012
【図７】
0004555185.tif 000013
【図８】
0004555185.tif 000014
【図９】
0004555185.tif 000015
【図１０】
0004555185.tif 000016
【図１１】
0004555185.tif 000017